(57)【要約】      （修正有）【課題】調整ローラのテンションの調整が調整ローラの一方の側だけになされる、印刷機のテンション調整装置を提供する。【解決手段】印刷機のウェブがウェブの供給ロールから通される調整ローラ５２と、調整ローラ５２の下流に位置決めされたテンションローラ５４と、テンションローラ５４の両端でウェブ１４によって引き起こされるテンションを測定するために、テンションローラ５４の両端に位置決めされた一対のトランスデューサと、調整ローラ５２の片側にあって、軸受けハウジング７０を有する軸受けカップ６８と、内方に向いた螺旋歯７４を有する軸受けハウジング７０の貫通ボア７２と、ボア７２の内方に向いた螺旋歯７４と噛み合った外方に向いた螺旋歯７８を有する細長いシャフト７６と、を含み、細長いシャフト７６の回転により、軸受けカップ６８及び軸受けカップ６８を有する調整ローラ５２の側を変位させる。【選択図】図２
2007168444.tif 000002
【特許請求の範囲】
【請求項１】
印刷機のウェブが、該ウェブの供給ロールから通される調整ローラと、
調整ローラの下流に位置決めされたテンションローラと、
テンションローラの両端でウェブによって引き起こされるテンションを測定するために、テンションローラの両端に位置決めされた一対のトランスデューサと、
調整ローラの片側にあって、軸受けハウジングを有する軸受けカップと、
内方に向いた螺旋歯を有する軸受けハウジングの貫通ボアと、
ボアの内方に向いた螺旋歯と噛み合った外方に向いた螺旋歯を有する細長いシャフトと、を含み、
細長いシャフトの回転により、軸受けカップ及び軸受けカップを有する調整ローラの側を変位させる、印刷機のテンション調整装置。
【請求項２】
細長いシャフトを制御装置の入力に応答して回転させるための、細長いシャフトの一端に配置されたモータを更に含む、請求項１のテンション調整装置。
【請求項３】
モータは２速度モータである、請求項２のテンション調整装置。
【請求項４】
モータの反対側の、細長いシャフトの端に、手動調整用の手回しホイールを更に含む、請求項２のテンション調整装置。
【請求項５】
調整ローラが所定限度に達したとき、モータを自動的に止めるための、軸受けハウジングに取り付けられたリミットスイッチを更に含む、請求項２のテンション調整装置。
【請求項６】
モータは、調整ローラに対して荒い調整と微調整を行う、請求項２のテンション調整装置。
【請求項７】
モータは、一対のトランスデューサが古いウェブに通される新しいウェブの通過を検出するとき調整ローラに対して荒い調整を行う、請求項２のテンション調整装置。
【請求項８】
モータは、供給ロールが減じてテンションの僅かな変動を補償するとき、微調整を行う、請求項２のテンション調整装置。
【発明の詳細な説明】
【技術分野】
【０００１】
本発明は印刷機のテンション制御装置に関する。
【背景技術】
【０００２】
本発明の前までは、紙ウエブにカラー画像を印刷するために印刷機に多色印刷ユニットが使用されてきた。印刷機に使用されるウエブは供給ロールから巻きほぐされる。印刷機の比較的早い速度により、ローラは比較的短時間で、例えば１５分で完全に巻きほぐされていた。
【０００３】
従来の実施によれば、ウエブの新しいロールは、それが殆ど消耗されるときに前のロールのウエブに糊り付けされる。しかしながら、ロールは各々異なる特性、例えば異なる製造及び異なる巻き付けテンションを有する。その結果、新しいウエブの両側のテンションは著しく異なることになり、印刷機における見当合わせのロスを引き起こし、またウエブ切れを引き起こすウエブのフラッピング（ｆｌａｐｐｉｎｇ）を生じさせる。
【０００４】
見当合わせのロスの場合及びウエブの糊付けの相対的な頻度により、印刷機に調整をしなければならない。この要因は印刷時間のロス、廃棄製品、及び印刷機のオペレータに対する不便さを生じさせる。
【発明の開示】
【発明が解決しようとする課題】
【０００５】
本発明は印刷機の改良式テンション制御装置に関する。
【課題を解決するための手段】
【０００６】
本発明の装置は調整ローラと、調整ローラから下流に通るウエブの両側のテンションを測定するための装置と、を有する。
【０００７】
本発明の特徴は、調整ローラの両側で調整ローラ上のウエブのテンションを自動的にほぼ等しくするための、測定装置に応答する装置を備えることである。
【０００８】
かくして、本発明の特徴は、装置がウエブ糊付けによる見当合わせのロスを最小にすることである。
【０００９】
本発明の他の特徴は、装置がウエブ糊付けによって引き起こされるウエブのフラッピングを最小にすることである。
【００１０】
本発明の更なる特徴は、調整ローラのテンションの調整が調整ローラの一方の側だけになされることである。
【００１１】
かくして、本発明の特徴は、装置が簡単化した構造及び低コストのものであることである。
【００１２】
本発明の特徴は、装置がウエブ糊付けにより印刷機を作動するに際し廃棄物及び時間の量を最小にすることである。
【００１３】
更なる特徴は、本発明の実施形態の以下の説明及び添付の請求項からより完全に明らかになろう。
【発明を実施するための最良の形態】
【００１４】
今、図１を参照すると、紙ウエブ１４に画像を印刷するための印刷機１０が示してある。印刷機１０はウエブ１０にインキの異なるカラーを印刷するための複数の印刷ユニット２８、３８、３２及び３４を有する。図示したように、４色印刷機１０で、印刷ユニット２８はシアン色Ｃを有するインキを印刷し、印刷ユニット３０はマゼンタ色Ｍを有するインキを印刷し、印刷ユニット３２は黄色Ｙを有するインキを印刷し、印刷ユニット３４は黒色Ｋを有するインキを印刷する。
【００１５】
印刷ユニット２８、３０、３２及び３４は各々ゴム胴又はロール４０と関連した複数の印刷ロール又は胴３６を有する。印刷機１０による印刷中、インキの画像が印刷ロール３６から関連したゴムロール４０に転写されてウエブ１４の一方の面に画像を印刷する。加えて、印刷機１０はウエブ１４の反対側に複数のゴムロール又は胴４２と関連した複数の印刷ロール３８を有する複数の印刷ユニットを備え、インキ画像を印刷ロール３８からゴムロール４２に転写してウエブ１４の他方の面に画像を印刷する。印刷ロールの以下の説明はウエブ１４の両側の印刷ロール３６か印刷ロール３８のいずれかに等しく適用できる。
【００１６】
図２を参照すると、印刷機１０は印刷機１０のウエブ１４のテンションを制御するための装置５０を有する。図示したように、ウエブ１４は供給ロールから調整ローラ５２のまわりを経てテンションローラ５４に通る。ウエブ１４はテンションローラ５４からダンサーローラ５６のまわりを経てアイドラーローラ５８に、次いで印刷機１０の印刷ユニットに通る。
【００１７】
図４を参照すると、印刷機１０はランダムアクセスメモリ（ＲＡＭ）及びリードオンリーメモリ（ＲＯＭ）を有するコンピュータ６０又は中央処理ユニット（ＣＰＵ）を含む制御装置６２を有する。以下で分かるように、制御装置６２は図２に示すごとき装置５０の作動を制御する。
【００１８】
図２及び３に示すように、テンションローラ５４はその両側にトランスデューサ６４及び６６を有する。トランスデューサ６４及び６６は周知の形式のものであり、テンションローラ５４の両端でウエブ１４によって引き起こされるテンションを測定する。
【００１９】
図２を参照すると、調整ローラ５２はその一方側だけに軸受けカップ６８を有するとともに、軸受けカップ６８のための軸受けハウジング７０を有する。軸受けハウジング７０は内方に向いた螺旋歯７４を有するボア７２を備える。装置５０は細長いシャフト７６を有し、シャフト７６は歯７４とかみ合う外方に向いた螺旋歯を有する。装置５０は軸受けハウジング７０の領域に歯７８を有する細長いシャフト８０を備え、ハウジング７０はシャフト８０の歯７８とかみ合う歯７８を有する。かくして、シャフト８０の回転により、軸受けカップ６８及び該軸受けカップ６８を有する調整ローラ５２の一端を変位させる。この方法で、調整ローラ５２の一端のウエブ１４のテンションが調整され、これは自動的に起こる。というのはシャフト８０が該シャフト８０に取り付けられた２速度モータ８２によって回転されるからである。装置５０はまた、所望ならば、自動装置を切って、シャフト８０の手動調整をするために、モータ８２に対してシャフト８０の反対側の端に取り付けられた細長い手回しホイール８４を有する。
【００２０】
装置５０はテンションローラ５４の両端のトランスデューサ６４及び６６のテンションの差を感知するように作動する。ウエブ１４の消耗したロールからウエブ１４の新しいロールへのウエブ１４の糊付けを補償するためにテンションローラ５４の両端に等しいテンションを得ることが望ましい。ウエブ１４の新しいロールを糊付けする状態により、通常は装置５０はトランスデューサ６４及び６６の異なるテンションを決定させる。
【００２１】
トランスデューサ６４及び６６の異なるテンションの場合には、装置５０はモータ８２を作動してシャフト８０を回転させ、軸受けカップ６８及び調整ローラ５２の一端の変位を生じさせる。モータ８２はシャフト８０に、テンションローラ５４のトランスデューサ６４及び６６のテンションの差を最小にする方向に作動する。このようにして、印刷機１０はウエブの糊付けを補償し、ウエブの糊付けによる見当合わせのロス及びウエブ１４のフラッピングの発生を最小にする。
【００２２】
このようにして、装置５０はウエブの糊付けによる見当合わせのロスを最小にし、その結果、印刷されたウエブ１４の廃棄を減らし、頻繁なウエブ糊付けによる作業者に対する不便さを減らす。
【００２３】
図２に示すように、装置５０はまた、調整ローラ５２の調整の際所定限度が起こった場合（この場合には、モータ８２を止める）、コンピュータ６０に信号を出すリミットスイッチ８６を有する。
【００２４】
トランスデューサ６４及び６６は、テンションローラ５４の両端のテンションの比較的高い変動により、いつウエブ１４が最初に糊付けされたかを測定することができる。この場合には、モータ８２が、ＣＰＵによって制御されるように調整ローラ５２の一方の端の荒い修正をするために、第１の早い速度で作動する。
【００２５】
モータ８２によって荒い修正がなされると、ＣＰＵによりモータ８２を、調整ローラ５２の一方の端の微調整をするために第２の遅い速度で移動させる。このようにして、調整ローラの一方の端を迅速且つ正確な方法で調整することができる。
【００２６】
尽きるロールが減少するとき微調整がなされてテンションの僅かな変化について調整をする。
【００２７】
上記の詳細な説明は理解の明瞭のためにのみなされており、変形例が当業者には明らかであるから、不必要な限定を詳細な説明から理解すべきではない。
【図面の簡単な説明】
【００２８】
【図１】本発明のテンション制御装置を使用する印刷機の概略図である。
【図２】テンション制御装置の立面図である。
【図３】図２の装置用のテンションローラの概略図である。
【図４】図２のテンション制御装置のブロックダイヤグラムである。
【符号の説明】
【００２９】
５２  調整ローラ
５４  テンションローラ
６４、６６  トランスデューサ
６８  軸受けカップ
７０  軸受けハウジング
７２  ボア
７４  螺旋歯
７６  シャフト
７８  歯  
８０  シャフト
８２  モータ
８４  手回しホイール
【図１】
2007168444.tif 000003
【図２】
2007168444.tif 000004
【図３】
2007168444.tif 000005
【図４】
2007168444.tif 000006